(57)【要約】例示的なマイクロ発光ダイオード（ＬＥＤ）制御デバイスは、基板と、基板に動作可能なように接続されたモータと、モータに接続された支持台と、支持台上の支持プレートと、支持プレート上のマイクロＬＥＤとを含み、モータは支持台を回転させるように設定される。モータは、支持台を二次元回転平面に関して各横方向に約４５°回転させることができる。支持台はサブピクセル駆動回路を含むことができる。【選択図】図１
2020524311.tif 000002
【特許請求の範囲】
【請求項１】
マイクロ発光ダイオード（ＬＥＤ）制御デバイスであって、
基板と、
前記基板に動作可能なように接続されたモータと、
前記モータに接続された支持台と、
前記支持台上の支持プレートと、
前記支持プレート上のマイクロＬＥＤとを含み、
前記モータが前記支持台を回転させるように設定される、マイクロＬＥＤ制御デバイス。
【請求項２】
前記モータが、前記支持台を二次元回転平面に関して各横方向に約４５°回転させるように設定されている、請求項１に記載のマイクロＬＥＤ制御デバイス。
【請求項３】
前記支持台が、サブピクセル駆動回路を含む、請求項１に記載のマイクロＬＥＤ制御デバイス。
【請求項４】
複数の赤外線虹彩認識センサと、
前記複数の赤外線虹彩認識センサから第１の組の電気信号を受け取るように設定された電子回路と、
前記電子回路を含む導電支持フレームと、
前記導電支持フレームに取り付けられたマイクロ発光ダイオード（ＬＥＤ）ピクセルと、
前記電子回路および前記導電支持フレームに動作可能なように接続されたマイクロ電子エンジンとを含み、
前記マイクロ電子エンジンは、前記複数の赤外線虹彩認識センサから受け取った前記第１の組の電気信号に基づいた前記電子回路からの第２の組の電気信号を受け取る際に、前記導電支持フレーム及び前記取り付けられたマイクロＬＥＤピクセルを回転させる、システム。
【請求項５】
前記マイクロ電子エンジンは、前記導電支持フレームを、二次元回転平面に関して各横方向において約４５°回転させるように設定される、請求項４に記載のシステム。
【請求項６】
前記複数の赤外線虹彩認識センサは、コンピュータ制御デバイスのユーザの眼球運動を検出するように設定される、請求項５に記載のシステム。
【請求項７】
前記第１の組の電気信号は、前記複数の赤外線虹彩認識センサに対して前記ユーザの目の方向的位置に関連した符号化データを含む、請求項６に記載のシステム。
【請求項８】
前記第２の組の電気信号は、前記ユーザの目の方向的位置に前記マイクロ電子エンジンの回転の方向を対応させる符号化データを含む、請求項７に記載のシステム。
【請求項９】
前記複数の赤外線虹彩認識センサがコンピュータ制御デバイスのユーザの目を検出できない際に、前記マイクロＬＥＤの電源を切るように設定された電源ユニットを含む、請求項４に記載のシステム。
【請求項１０】
ディスプレイ画面を含み、前記複数のセンサは、ユーザの検出された眼球運動に基づいて前記電子回路に前記第１の組の電気信号を伝えるように設定され、前記電子回路は、前記ディスプレイ画面に対するユーザの目の位置に基づいて所定の方向に回転させるように前記マイクロ電子エンジンに命令する、請求項７に記載のシステム。
【請求項１１】
ピクセル領域を含むディスプレイ画面と、
前記ディスプレイ画面に隣接するマイクロＬＥＤ制御デバイスとを含み、
前記マイクロＬＥＤ制御デバイスは、前記電子回路、前記導電支持フレーム、前記マイクロＬＥＤピクセル、及び前記マイクロ電子エンジンを含み、
前記ピクセル領域は、ピクセルのアレイを含み、
各ピクセル領域は、複数のマイクロＬＥＤ制御デバイスを含む、請求項４に記載のシステム。
【請求項１２】
前記複数のマイクロＬＥＤ制御デバイスは、第１のマイクロＬＥＤ制御デバイス、第２のマイクロＬＥＤ制御デバイス、及び第３のマイクロＬＥＤ制御デバイスを含み、前記第１、第２及び第３のマイクロＬＥＤ制御デバイスは、互いに対して別個に動く、請求項１１に記載のシステム。
【請求項１３】
電気ディスプレイ画面に隣接する領域の周囲光の強度を検知し、
前記電気ディスプレイ画面に隣接して位置する虹彩認識検出センサを用いてユーザの瞳を検出し、
前記電気ディスプレイ画面に埋め込まれたマイクロ発光ダイオード（ＬＥＤ）ピクセル・ディスプレイに電気信号を伝え、前記電気信号は、前記電気ディスプレイ画面に対するユーザの瞳の位置に対応する符号化データを含み、
ユーザの目の動きに関連した電気信号に従って前記マイクロＬＥＤピクセル・ディスプレイの回転を制御し、
前記電気ディスプレイ画面に対する視野を調整するための複数の角度で前記マイクロＬＥＤピクセル・ディスプレイを回転させることを含む、方法。
【請求項１４】
前記マイクロＬＥＤピクセル・ディスプレイを、二次元回転平面に関して各横方向に４５°回転させることを含む、請求項１３に記載の方法。
【請求項１５】
前記マイクロＬＥＤピクセル・ディスプレイの回転に関する完全な９０°の角度は、約１秒で生じる、請求項１４に記載の方法。
【発明の詳細な説明】
【背景技術】
【０００１】
プライバシーとセキュリティの目的のために、幾つかのディスプレイ画面は、特に公の場でユーザの隣に座っている人々に対して視覚的にアクセスできないように視野（視界）制御を行う。マイクロ発光ダイオード（ＬＥＤ）ディスプレイ技術は、ピクセル光源としてマイクロＬＥＤを用いて、各マイクロＬＥＤに設けられたピクセルを利用する。
【図面の簡単な説明】
【０００２】
【図１】一例による、マイクロＬＥＤ制御デバイスを示す略図である。
【図２】一例による、マイクロＬＥＤ制御デバイスの回転を示す略図である。
【図３】一例による、マイクロＬＥＤピクセル・ディスプレイ・システムの略図である。
【図４】別の例による、マイクロＬＥＤ制御デバイスの回転を示す略図である。
【図５】一例による、マイクロＬＥＤ制御デバイスの独立した回転を示す略図である。
【図６】別の例による、マイクロＬＥＤピクセル・ディスプレイ・システムの略図である。
【図７】一例による、方法を示す流れ図である。
【図８】本明細書の一例による、制御システムのブロック図である。
【発明を実施するための形態】
【０００３】
詳細な説明
本明細書で説明される例は、虹彩認識ソフトウェアを用いてユーザの目（眼球）を検出し、ユーザの目の位置および動き（運動）に基づいてディスプレイ画面のライティング（点灯、照明、光）の可視性を提供するためのメカニズムを提供する。メカニズムは、マイクロＬＥＤディスプレイを保持する支持体を回転させるモータにより支持されているマイクロＬＥＤディスプレイに接続されたセンサを使用する。回転する支持体により、画面がユーザの目の位置／角度に基づいてユーザにだけ見えるように、画面の可視性が制御されることを可能にし、その結果、当該画面は、ユーザの位置／角度に基づいてユーザにだけ可視である。マイクロＬＥＤディスプレイを保持する回転支持体構造は、たとえユーザが画面から離れて斜めになっていても、ユーザが画面との視覚的な関係を維持することができることを保証するように回転することができる。
【０００４】
図１は、マイクロＬＥＤ制御デバイス３０の略図であり、マイクロＬＥＤ制御デバイス３０は、基板２５、基板２５に動作可能なように接続されたモータ３５、モータ３５に接続された支持台４０、支持台４０上の支持プレート４５、支持プレート４５上のマイクロＬＥＤ５０を含み、この場合、モータ３５は、支持台４０を回転させるために設定（set：配置）される。例えば、基板２５は、剛性または可撓性であることができ、サファイア、炭化ケイ素、シリコン（ケイ素）、及び窒化ガリウムの材料の何れかを含むことができる。モータ３５は、微小電気エンジンであることができる。微小電気エンジンの例は、数あるタイプのモータの中でも、リニア共鳴アクチュエータ（Linear Resonant Actuator：ＬＲＡ）、プラネタリ（遊星）及びスパー減速ギヤモータ、低電圧振動モータ、及びブラシレスモータを含むＤＣモータを含む。
【０００５】
支持台４０は、導電材料を含むことができる構造フレームとして構成される。一例において、支持台４０は、アモルファス金属合金を含む。支持台４０は、支持台４０をモータ３５のロータに構造的に接続するために利用可能な任意の適切なメカニズムを用いてモータ３５に接続され得る。ロータは、図面において示されていないが、接続された支持台４０の回転を駆動するモータ３５の可動部品を含むことは容易に明らかである。モータ３５に対する支持台４０の接続は、直接的な接続、又は介在構成要素を利用する間接的な接続であることができる。支持プレート４５は、一例において導電材料を含むことができる。別の例において、支持プレート４５は、数ある種類の材料の中でも、ガラス、又は石英、プラスチック、半導体のような他のタイプの透過性材料を含むことができる。
【０００６】
図２は、図１に関連して、本明細書の一例による、マイクロＬＥＤ制御デバイス３０の回転を示す略図である。図２の例図は、単一の軸を中心としたマイクロＬＥＤ制御デバイス３０の回転を示す。基準の平面として、図２に示されたｘ−ｙ座標平面を用いて、マイクロＬＥＤ制御デバイス３０は、ｚ軸を中心としてｘ−ｙ平面においてのみ回転する。ｚ軸は、ｘ軸およびｙ軸のそれぞれに対して長手方向に直角である。モータ３５は、二次元回転平面ｘ−ｙに対してそれぞれ横方向に支持台４０を４５°回転させるように設定される。図２の左側は、ｙ軸の左に回転したマイクロＬＥＤ制御デバイス３０を示すが、図２の右側は、ｙ軸の右に回転したマイクロＬＥＤ制御デバイス３０を示す。モータ３５は、マイクロＬＥＤ制御デバイス３０が任意の角度θ（図２に示されたように４５°まで及び図１に示されたような全く回転していない０°を含む）で回転することができるように、回転に関して制御可能である。
【０００７】
マイクロＬＥＤ５０は、単色または多色のマイクロＬＥＤからなることができる。支持台４０は、サブピクセル駆動回路５５を含む。一例において、サブピクセル駆動回路は、以下に限定しないが、デジタル／アナログ変換器、マルチプレクサ、演算回路、電圧源により電力供給され且つピクセルの表示動作を駆動するために電気信号を送信する論理モジュールを含むことができる電気制御回路を含むことができる。
【０００８】
図３は、図１及び図２に関連して、本明細書の一例による、マイクロＬＥＤピクセル・ディスプレイ・システム１０の略図である。マイクロＬＥＤピクセル・ディスプレイ・システム１０は、複数のセンサ１５、複数のセンサ１５に隣接するディスプレイ画面２０（ディスプレイ画面２０は、基板２５を含む）、及びマイクロＬＥＤ制御デバイス３０を含む。複数のセンサ１５は、赤外線虹彩認識センサを含むことができ、電子デバイス１２上の様々な場所に配置され得る。様々な例において、センサ１５は、ディスプレイ画面２０の前部（前面）または後部（裏面）に配置され得る。図面は、電子デバイス１２をラップトップ型コンピュータとして示すが、本明細書の例は、ラップトップ型コンピュータのみに制限されない。従って、ディスプレイを有する他のタイプの電子デバイスが、本明細書で説明される例に従って利用され得る。基板２５は、ディスプレイ画面２０の基板を含むことができ、一例において、この場合、マイクロＬＥＤ制御デバイス３０が基板２５上に組立てられて基板２５を含む。他の例において、基板２５は、マイクロＬＥＤ制御デバイス３０から分離した別個の構成要素を構成することができる。
【０００９】
支持部材３１は、モータ３５を基板２５に動作可能なように接続する。一例において、支持部材３１は、ハンダ（ハンダ付け）を含むことができる。赤外線虹彩認識センサを含むことができる複数のセンサ１５は、ユーザ１７の眼球運動を検出するために設定される。一例において、複数のセンサ１５は、ユーザ１７の目（眼球）を走査し、電子デバイス１２に局所的に格納された又はファームウェアを用いて電子デバイス１２に遠隔的に伝えられる数学的パターン認識ソフトウェアを用いて、ユーザ１７の目のパターン、形状、色などを識別する。ひとたび複数のセンサ１５がユーザ１７の目（眼球）を視覚的に検出すれば、複数のセンサ１５は、ユーザ１７の検出された眼球運動に基づいてサブピクセル駆動回路５５に、電気信号のような信号を伝える。この点に関して、複数のセンサ１５は、ユーザ１７の目の外観を検出するだけでなく、ユーザ１７の目の運動（動き）も検出する。より具体的には、ユーザ１７が電子デバイス１２に対してユーザの頭部を様々な角度で動かした場合、複数のセンサ１５は、ユーザ１７の目の対応する動きを検出する。一例において、センサ１５が精密に調整されている場合、センサ１５は、たとえユーザがユーザの頭部を動かさずにユーザの目を動かしただけである場合でも、ユーザ１７の眼球運動を検出することができる。従って、ユーザ１７は、ユーザの頭部を動かす必要は全くなく、代わりとして電子デバイス１２が、電子デバイス１２に対するユーザ１７の目の位置および場所の変化を検出した時点で、動かないユーザ１７に関連して動くことができる。そういうものだから、複数のセンサ１５は、ユーザ１７の目を相似的に検出しようと努める。
【００１０】
複数のセンサ１５が信号をサブピクセル駆動回路５５に伝えた後、サブピクセル駆動回路５５は、ディスプレイ画面２０に対するユーザ１７の目の位置に基づいて所定の方向に回転させるようにモータ３５に命令する。より具体的には、サブピクセル駆動回路５５は、ユーザ１７の検出された目の位置の方へ所定の方向に傾き始める、即ち回転し始めるように、電気信号のような対応する信号をモータ３５に送信する。例えば、ユーザ１７が電子デバイス１２のディスプレイ画面２０の左側に位置する場合、センサ１５は、ユーザ１７の目を検出することに加えて、電子デバイス１２の左側にいる際にユーザ１７の目の相対的な位置も検出し、対応する第１の電気信号をサブピクセル駆動回路５５に送信し、次いでユーザ１７の位置の方へ回転し始める（即ち、モータ３５は左に回転し始める）ようにモータ３５に対応する第２の電気信号を送信する。図３は、最初に真っ直ぐな構成（即ち、０°の回転）に配置されており、次いで電子デバイス１２の左側にいるように示されているユーザ１７の対応する位置に基づいて、左に約４５°の対応する回転をしたマイクロＬＥＤ制御デバイス３０の一例を示す。
【００１１】
ディスプレイ画面２０は、ピクセル５０ａ、５０ｂ、５０ｃのアレイ６５を含むピクセル領域６０を含み、ピクセル５０ａ、５０ｂ、５０ｃのアレイ６５の各ピクセル領域６０は、複数のマイクロＬＥＤ制御デバイス３０ａ、３０ｂ、３０ｃを含む。マイクロＬＥＤ制御デバイス３０ａ、３０ｂ、３０ｃはそれぞれ、特定のデバイス３０ａ、３０ｂ、３０ｃから送られる光に関して異なる色を含む。一例において、各マイクロＬＥＤ制御デバイス３０ａ、３０ｂ、３０ｃは、図４に示されたようにマイクロＬＥＤ５０からの光がフィルタ３２ａ、３２ｂ、３２ｃを通して送られ、当該送られた光が対応する色、即ち赤色、緑色、又は青色になるように、赤色（Ｒ）、緑色（Ｇ）及び青色（Ｂ）にそれぞれ対応する異なる半透明の色フィルタ３２ａ、３２ｂ、３２ｃを含む。マイクロＬＥＤ５０は、フィルタ３２ａ、３２ｂ、３２ｃがカプセル状の機構（メカニズム）として構成される場合、フィルタ３２ａ、３２ｂ、３２ｃの下、又はフィルタ３２ａ、３２ｂ、３２ｃ内に配置され得る。図４は、図１〜図３に関連して、ユーザ１７の目の動き又は位置に関連したマイクロＬＥＤ制御デバイス３０の回転を示す。マイクロＬＥＤ５０は、フィルタ３２ａ、３２ｂ、３２ｃ内に配置され、マイクロＬＥＤ制御デバイス３０がユーザ１７へ向けて配置されるので、ユーザ１７に向けて光を送る。別の例において、マイクロＬＥＤ５０は、フィルタ３２ａ、３２ｂ、３２ｃが赤色、緑色、青色の構成に従って必ずしも色付けされなくてもよいように、異なる多色ＬＥＤを含むことができる。別の例において、マイクロＬＥＤ５０は多色であり、フィルタ３２ａ、３２ｂ、３２ｃも、赤色、緑色、青色の構成に従って色付けされる。色無し又は色付きフィルタ３２ａ、３２ｂ、３２ｃとの単色／多色ＬＥＤ５０の様々な組み合わせは、ピクセル５０ａ、５０ｂ、５０ｃからそれぞれ送られる全体としての色を制御する。
【００１２】
図５は、図１〜図４に関連して、第１のマイクロＬＥＤ制御デバイス３０ａ、第２のマイクロＬＥＤ制御デバイス３０ｂ、及び第３のマイクロＬＥＤ制御デバイス３０ｃを含む複数のマイクロＬＥＤ制御デバイス３０ａ、３０ｂ、３０ｃが、互いに対して別個に動くことができることを示す。例えば、第１の角度θ１、第２の角度θ２及び第３の角度θ３が互いに異なることができるように、第１のマイクロＬＥＤ制御デバイス３０ａは、第１の角度θ１に回転することができ、第２のマイクロＬＥＤ制御デバイス３０ｂは、第２の角度θ２に回転することができ、第３のマイクロＬＥＤ制御デバイス３０ｃは、第３の角度θ３に回転することができる。他の例において、複数のマイクロＬＥＤ制御デバイス３０ａ、３０ｂ、３０ｃは、互いに同一に、即ち第１の角度θ１、第２の角度θ２及び第３の角度θ３が同じであるように動く。
【００１３】
図６は、図１〜図５に関連して、システム１０ａを示す略図であり、当該システム１０ａは、複数の赤外線虹彩認識センサ１５、複数の赤外線虹彩認識センサ１５からの第１の組の電気信号を受け取るように設定された電子回路５５、導電支持フレーム（例えば、電子回路５５を含む支持台４０）、導電支持フレーム４０上に取り付けられたマイクロＬＥＤピクセル５０ａ、５０ｂ、５０ｃ、及び電子回路５５及び導電支持フレーム４０に動作可能なように接続されたマイクロ電子エンジン３５を含み、この場合、マイクロ電子エンジン３５は、複数の赤外線虹彩認識センサ１５から受け取った第１の組の電気信号に基づいて電子回路５５からの第２の組の電気信号を受け取ると、導電支持フレーム４０及び取り付けられたマイクロＬＥＤピクセル５０ａ、５０ｂ、５０ｃを回転させる。
【００１４】
マイクロ電子エンジン３５は、導電支持フレーム４０を二次元回転平面ｘ−ｙに関して各横方向に約４５°回転させるように設定される。複数の赤外線虹彩認識センサ１５は、コンピュータ制御デバイスのユーザ１７の眼球運動を検出するように設定される。第１の組の電気信号は、複数の赤外線虹彩認識センサ１５に対するユーザ１７の目の方向的位置に関連した符号化データを含む。第２の組の電気信号は、マイクロ電子エンジン３５の回転の方向をユーザ１７の目の方向的位置に対応させる符号化データを含む。システム１０ａは、複数の赤外線虹彩認識センサ１５がコンピュータ制御デバイスのユーザ１７の目を検出できない時にマイクロＬＥＤ５０の電源を切るように設定された電源ユニット７５を含むことができる。システム１０ａは、システム１０の特徴要素の全てを含む。しかしながら、システム１０ａにおいて、図３のセンサ１５の複数の対と比べて、一対の赤外線虹彩認識センサ１５のみが設けられる。様々な例において、一対の赤外線虹彩認識センサ１５は、画面２０の前部（前面）または後部（裏面）に配置され得る。更に、電源ユニット７５も、一例において、システム１０の一部であることもできる。
【００１５】
システム１０ａは、ディスプレイ画面２０を含むことができ、この場合、複数のセンサ１５は、ユーザ１７の検出された眼球運動に基づいて、電子回路５５に第１の組の電気信号を伝えるように設定され、電子回路５５は、ディスプレイ画面２０に対するユーザ１７の目の位置に基づいて所定の方向に回転するようにマイクロ電子エンジン３５に命令する。
【００１６】
図７は、図１〜図６に関連して、方法１００を示す流れ図であり、方法１００は、ブロック１０１において示されるように、電気ディスプレイ画面２０に隣接する領域の周囲光の強度を検知することを含む。次に、ブロック１０３において、方法１００は、電気ディスプレイ画面２０に隣接して位置する虹彩認識検出センサ１５を用いて、ユーザ１７の瞳（瞳孔）を検出することを含む。ブロック１０５は、電気ディスプレイ画面２０に埋め込まれたマイクロＬＥＤピクセル・ディスプレイ６０に電気信号を伝えるために提供され、この場合、電気信号は、電気ディスプレイ画面２０に対するユーザ１７の瞳の位置に対応する符号化データを含む。ブロック１０７は、ユーザ１７の目の動きに関連する電気信号に従ってマイクロＬＥＤピクセル・ディスプレイ６０の回転を制御するために提供され、ブロック１０９は、電気ディスプレイ画面２０に対する視野を調整するための複数の角度でマイクロＬＥＤピクセル・ディスプレイ６０を回転させることを含む方法１００を示す。方法は、二次元回転平面ｘ−ｙに関して各横方向に、マイクロＬＥＤピクセル画面６０を約４５°回転させることを含む。マイクロＬＥＤピクセル・ディスプレイ６０の回転に関する完全な９０°の角度は、約１秒で生じることができる。例えば、図４に関連して、マイクロＬＥＤ制御デバイス３０は、図４の左側に示された傾斜した位置から図４の右側に示された傾斜した位置に約１秒で移行することができ、この場合、回転の完全な９０°の角度は、図４における左側のイメージから右側のイメージまでに生じることができる。
【００１７】
回転させることにより、マイクロＬＥＤ制御デバイス３０は、ＬＥＤ５０からの光をユーザ１７の方向に向けて送ることができる。この点に関して、ユーザが電子デバイス１２の側部に位置している場合、センサ１５は、ユーザ１７の目を探索することを試みる。ひとたびセンサ１５がユーザ１７の目を視認すれば、電気信号の対応する伝達、即ちセンサ１５からサブピクセル駆動回路５５への伝達が行われ、次いでサブピクセル駆動回路５５からモータ３５への伝達により、モータ３５及び対応する接続された支持台４０、支持プレート４５、及びマイクロＬＥＤ５０のユーザ１７の方への回転が生じる。
【００１８】
一例において、マイクロＬＥＤ５０は、１つの方向（即ち、ユーザ１７に向けて）においてのみ傾けられるので、ディスプレイ画面２０は、ユーザ１７と位置合わせされていない角度で閲覧される場合、暗く見える、又はより少ない視力の状態にする。従って、ユーザ１７が別の人の隣に位置して、ユーザ１７がユーザの頭部を左または右に動かす場合、センサ１５は、ユーザ１７の目の動き及び位置を検出することにより、この動きを検出し、それに応じてマイクロＬＥＤ制御デバイス３０が回転する。ユーザ１７の隣に位置する隣接した人は、ディスプレイ画面２０を閲覧しようとした際に暗い画面を見るであろう。その理由は、マイクロＬＥＤ５０が隣接する人の方向に光を送っていないからである。別の例において、電源ユニット７５は、センサ１５がユーザ１７の目を検出できない際に、所定の時間期間後にマイクロＬＥＤ５０の電源を切ることができる。これは、ディスプレイ画面２０を暗くするという結果になり、ひいてはディスプレイ画面２０上のデータ又はイメージは、ディスプレイ画面２０に対して任意の角度で不可視である。
【００１９】
図８は、図１〜図７に関連して、制御システム１２０のブロック図を示し、制御システム１２０は、ユーザの目の方向的運動および位置に基づいて自動的およびリアルタイムのディスプレイ画面２０のマイクロＬＥＤアイコンタクト制御を行うために、赤外線虹彩認識および識別センサ１５及び対応する虹彩認識ソフトウェア・モジュール１２３を通じて、ユーザ１７の目の瞳に関する収縮応答および散大応答の差の程度を検出および認識することにより、自動的な画面の視野角調整の解決法を提供する。マイクロＬＥＤ制御デバイス３０により可能に（イネーブルに）されるようなマイクロ・エンジン制御部１２２は、電子デバイス１２及び画面２０に表示されたコンテンツの安全性が保証されたアクセスに関するユーザ検証を行うために、所与のユーザ１７に関してメモリ１２４に格納された自動化生体認証情報と、センサ１５により提供されるデータを受け取るセンサ・モジュール１２５によりコンパイルされたデータを組み合わせることができる。従って、マイクロ・エンジン制御部１２２は、ユーザ１７が異なる方向から画面２０を読む及び操作する際に、画面２０の強化された及び安全性が保証された閲覧を提供する。例えば、ユーザ１７は、本または書類一式を拾い読みしていることができ、ディスプレイ画面２０と書類一式との間を行ったり来たり常にちらっと見ていることができる。マイクロ・エンジン制御部１２２は、ユーザ１７が実際に画面２０を見ている際に評価し、それに応じてマイクロＬＥＤ５０からの光の方向および伝達を調整する。これにより、ピクセル５０ａ、５０ｂ、５０ｃは、ユーザ１７の目が画面２０と位置決め／位置合わせされた対応する角度でのみ可視にすることが可能になる。強化された情報保護およびセキュリティの目的のために、虹彩認識モジュール１２３は、パスワード入力および／または顔認識または他の生体認識プロセスを含む安全性が保証された認証プロセスを通じて、以前にシステム１０、１０ａとサインした特定のユーザ１７のみの目を認識するようにプログラムされ得る。
【００２０】
虹彩認識モジュール１２３及びセンサ・モジュール１２５は、メモリ１２４に格納されたユーザ１７の目のイメージとユーザ１７の検出された目を一致させる適切なパターンを可能にするためのハードウェア要素およびソフトウェア要素を含むことができる。従って、本明細書の様々な例は、ハードウェア要素およびソフトウェア要素の双方を含むことができる。ソフトウェアで実施される例は、以下に限定されないが、ファームウェア、常駐ソフトウェア、マイクロコードなどを含む。他の例は、実行された際に上述された方法に関連して述べられたような動作という結果になることができる事前設定された一組の命令を含むように構成されたコンピュータプログラム製品を含むことができる。一例において、事前設定された一組の命令は、有形の持続性コンピュータ可読媒体またはソフトウェア・コードを包含するプログラム記憶装置に格納され得る。
【００２１】
本開示は、前述の例示的な具現化形態に関連して図示および説明された。本明細書において、特定の例が図示および説明されたが、特許請求される主題の範囲は以下の特許請求の範囲およびその等価物によってのみ制限されることが明白に意図されている。しかしながら、理解されるべきは、他の形態、細部、及び例が、以下の特許請求の範囲に定義された本開示の思想および範囲から逸脱せずに行われ得る。
【図１】
2020524311.tif 000003
【図２】
2020524311.tif 000004
【図３】
2020524311.tif 000005
【図４】
2020524311.tif 000006
【図５】
2020524311.tif 000007
【図６】
2020524311.tif 000008
【図７】
2020524311.tif 000009
【図８】
2020524311.tif 000010
【国際調査報告】
2020524311.tif 000011